(57)【要約】【課題】全開放時は勿論、半開放時にあっても防虫機能の損なわれることのない装置を提供する。【解決手段】一対の障子構成体１，１の屋内側に窓縦枠４ｂに固定した定置框９と該定置框９に対して見付け方向に進退する召合せ框７との間に網シート８を介在させて構成した一対の防虫構成体６，６´の前記各召合せ框７に操作ハンドルによって圧縮ばねの付勢に抗して先端の係止片を縦動させる上下の縦動杆を収設し、一方の前記召合せ框７の前記係止片と他の一方の前記召合せ框７の前記係止片を屋内外方向に互いに位置をずらせて配置する。また、該係止片が前記圧縮ばねの付勢によって圧接する、窓上下枠の、前記各係止片の摺接面にそれぞれ一対の受入部を前記見付け方向に並設し、該一対の受入部の一方を前記召合せ框が召合うときに前記係止片が位置する位置に、他の一方を前記召合せ框７が前記障子構成体１の召合せ框７と屋内外方向に重なり合うときに前記係止片が位置する位置にそれぞれ配設する。【選択図】    図７
2005023527.tif 000002
【特許請求の範囲】
【請求項１】
一対の障子構成体の屋内側に窓縦枠に固定した定置框と該定置框に対して見付け方向に進退する召合せ框との間に網シートを介在させて構成した一対の防虫構成体の前記各召合せ框に、操作ハンドルによって圧縮ばねの付勢に抗して先端の係止部を前記召合せ框側に後退させる上下の縦動杆を収設し、一方の前記召合せ框の前記係止部と他の一方の前記召合せ框の前記係止部を屋内外方向に互いに位置をずらせて配置すると共に、該係止部が前記圧縮ばねの付勢によって圧接する、窓上下枠の、前記各係止部の摺接面にそれぞれ一対の受入部を前記見付け方向に並設し、該一対の受入部の一方を前記召合せ框が召合うときに前記係止部が位置する位置に、他の一方を前記召合せ框が前記障子構成体の召合せ框と屋内外方向に重なり合うときに前記係止部が位置する位置にそれぞれ配設した、両開きサッシの防虫装置。
【発明の詳細な説明】
【０００１】
【産業上の利用分野】
本発明は窓縦枠に固定した定置框と窓上下枠に沿って進退する召合せ框との間に網シートを介在させ、不使用時に、該網シートを前記定置框で巻き取るか又は折り畳むかした防虫構成体を用いた、両開きサッシ（両開き折り畳みサッシも含む）の防虫装置に関するものである。
【０００２】
【従来の技術】
窓縦枠に固定した定置框と窓上下枠に沿って進退する召合せ框との間に折り畳み伸展自在なジグザグ状の網シートを配した一対の防虫構成体を用い、障子全開放時には該防虫構成体同士の召合せ框を召合せて網シートによって障子開放部を閉塞し、また、一対の障子で成る、一対の障子構成体の一方を閉塞して他方の側を開放して半開放状態にしたとき、該半開放部を該半開放部に対応する一方の防虫構成体で閉塞して防虫効果を図る構造のものは公知である（例えば、特許文献１）。
【０００３】
【特許文献１】
特開２０００−８７６５５号公報
【０００４】
【発明が解決しようとする課題】
前記公報所載のものは、障子半開放時には網シートそれ自体が備えている保形機能によって当該防虫構成体の召合せ框が所定の位置で定置して半開放時の防虫効果を期待するものであるが、当該設定位置は特別に規程しているわけではないので、常に正位置に前記の召合せ框が配置されるとは限らず、従って、配置位置の誤作業によって防虫効果が低減する場合がある。
【０００５】
本発明は斯様な従来例の欠点に着目し、全開放時は勿論、半開放時にあっても防虫機能の損なわれることのない装置を提供することを目的として創案したものである。
【０００６】
【課題を解決するための手段】
一対の障子構成体の屋内側に窓縦枠に固定した定置框と該定置框に対して見付け方向に進退する召合せ框との間に網シートを介在させて構成した一対の防虫構成体の前記各召合せ框に、操作ハンドルによって圧縮ばねの付勢に抗して先端の係止部を前記召合せ框側に後退させる上下の縦動杆を収設し、一方の前記召合せ框の前記係止部と他の一方の前記召合せ框の前記係止部を屋内外方向に互いに位置をずらせて配置すると共に、該係止部が前記圧縮ばねの付勢によって圧接する、窓上下枠の、前記各係止部の摺接面にそれぞれ一対の受入部を前記見付け方向に並設し、該一対の受入部の一方を前記召合せ框が召合うときに前記係止部が位置する位置に、他の一方を前記召合せ框が前記障子構成体の召合せ框と屋内外方向に重なり合うときに前記係止部が位置する位置にそれぞれ配設した構成とする。
【０００７】
【発明の実施の形態】
図面は本発明に係る両開きサッシの防虫装置の一実施形態を示し、図１は一方の防虫構成体の召合せ框と窓枠の関係を示す断面図、図２は他の一方の防虫構成体の召合せ框と窓枠の関係を示す断面図、図３は障子全開放時の防虫状態を示す召合せ框部の横断面図、図４は係止片と受入部の関係を示す分解斜視図、図５は係止片と受入部の関係を示す説明図、図６は障子全開放して防虫状態としたときの略示説明図、図７は一方の障子側のみを開放して防虫状態としたときの略示説明図である。
【０００８】
実施形態の両開きサッシは、吊元側障子１Ａと手先側障子１Ｂを接続框２を介して互いに回動自在に接続して障子構成体１を構成し、一対の該障子構成体１，１の、前記吊元側障子１Ａの縦框３ｂを窓枠Ａの縦枠４ｂに回動自在に組付け、前記手先側障子１Ｂの手先框５ｂに蝶着した召合せ框材２Ａが障子閉塞時に互いに召合うようにした両開き折たたみサッシを示しているが、障子構成体１を単一な障子で構成した所謂両開きサッシにも本発明は適用できるものである。
【０００９】
そして、実施形態は、前記障子構成体１より屋内側に一対の防虫構成体６，６´を配し、前記障子構成体（障子）１，１の全開放時に防虫構成体６，６´の召合せ框７，７を互いに召合せて該構成体６，６´が備えている網シート８によって障子開放部を閉塞して防虫状態とし（図６）、また、一方の障子構成体１のみを開放状態においてときは、該一方の障子構成体１に対応する防虫構成体６または６´の網シート８で当該開放部を閉塞して防虫状態（図７）とするものである。
【００１０】
防虫構成体６，６´は、窓枠の前記縦枠４ｂに取付けた定置框９と該定置框９に収設した巻取りドラム１０に不要時に巻取るようにして前記定置框９より導出した前記網シート８の先端に前記召合せ框７を組付けて構成したもの、すなわち、網シート８を巻取りドラム１０による巻回状態からいわば平板状にして防虫機能させたものであるが、ジグザグ状にした折目を施して定置框９と召合せ框７間で折りたたみ状態と成し、防虫機能をさせるに際しては該折りたたみ状態を伸展させて平板状にするような構造のものであっても不都合はない。
【００１１】
防虫構成体６，６´を構成する前記召合せ框７は、互いに近接位置に配した上下の操作ハンドル１１，１２によって互いに近接・離開させる上下の縦動杆１３，１４を縦動自在に装備し、各端部すなわち上縦動杆１３の上端と下縦動杆１４の下端のそれぞれには互いに上下対称位置にして係止片１５，１６を設け、前記縦動杆１３，１４間、すなわち上縦動杆１３の下端と下縦動杆１４の上端との間に介在させて前記召合せ框７内に収設した圧縮ばね１７によって召合せ框７の端部（上端または下端）より突出させ、上縦動杆１３の係止片１５は前記窓枠の上枠４ａに組付けた上案内レール１８の摺接面１８Ｂに、下縦動杆１４の係止片１６は下枠４ｃに組付けた下案内レール２０の屋内側の摺接面２０Ｂにそれぞれ圧接するように配置してある。
【００１２】
前記上下の案内レール１８，２０は、窓枠の前記上下枠４ａ，４ｃの長手方向に沿う一対の形材部材１８ａ，１８ａ、２０ａ，２０ａを樹脂部材１８ｂ，２０ｂで接続して構成し、これら構成部材１８ａ，１８ｂ、２０ａ，２０ｂで構成した案内溝１８Ａ，２０Ａに前記召合せ框７の端部（上下両端）に設けた組付片２１，２２を摺嵌して、上組付片２１の上案内溝１８Ａおよび下組付片２２の下案内溝２０Ａに対するそれぞれの係合によって召合せ框７，７は上下枠４ａ，４ｃ（上下の案内レール１８，２０）より外れることなく窓枠見付け方向に進退して網シート８の開閉を行う。
【００１３】
召合せ框７（上下の縦動杆１３，１４）に設けた前記係止片１５，１６は防虫構成体６，６´間の関係で屋内外方向に互いに変位させ、一方の防虫構成体６の上下の係止片１５，１６は前記摺接面１８Ｂ，２０Ｂの屋内側を、他の一方の防虫構成体６´の上下の係止片１５，１６は前記摺接面１８Ｂ，２０Ｂの屋外側に接して摺接面１８Ｂ，２０Ｂを摺接移動する位置に配し、それぞれの移動路上には、一方の防虫構成体６の係止片１５，１６用の受入部１９Ａ，１９Ｂ、２３Ａ，２３Ｂと他の一方の防虫構成体６´の係止片１５，１６用の受入部１９Ａ´，１９Ｂ´、２３Ａ´，２３Ｂ´を一対一組として前記樹脂部材１８ｂ，２０ｂに（見付け方向に一対一組として並べて）設けてある。
【００１４】
前記摺接面１８Ｂ，２０Ｂの屋内側にそれぞれ並設した一対の受入部１９Ａ，１９Ｂ、２３Ａ，２３Ｂは、前記一方の防虫構成体６の召合せ框７に備えた上下の係止片１５，１６が係脱するもので、前記障子構成体１，１の全開放時すなわち網シート８，８による全閉塞時に該一方の防虫構成体６の召合せ框７に近い側の受入部１９Ａ，２３Ａに召合せ框７の前記係止片１５，１６が係合し、該一方の防虫構成体６の障子構成体１のみを開放状態においたとき（他の一方の障子構成体１を閉塞状態にして）に当該構成体６側（召合せ框７）の係止片１５，１６が前記受入部１９Ａ，２３Ａより召合せ框７に遠い側の受入部１９Ｂ，２３Ｂに前記係止片１５，１６が係合し、一方の障子構成体１側の防虫機能を期待するようにしてある。
【００１５】
他の一方の障子構成体１´側も、この一方の障子構成体１側と同様で、前記障子構成体１，１の全開放時すなわち網シート８，８による全閉塞時に該他の一方の防虫構成体６´の召合せ框７の前記係止片１５，１６が係合し、該防虫構成体６´の障子構成体１のみを開放状態においたとき（他の一方の障子構成体１を閉塞状態にして）に当該構成体６´側（召合せ框７）の係止片１５，１６が前記受入部１９Ａ´，２３Ａ´より召合せ框７に遠い側の受入部１９Ｂ´，２３Ｂ´に前記係止片１５，１６が係合し、他の一方の障子構成体１側の防虫機能を期待するようにし、障子全開放時に、防虫構成体６，６´の召合せ框７，７同士が互いに召合い、この召合う位置において両構成体６，６´の上側の係止片１５，１５が受入部１９Ａ，１９Ａ´に、下側の係止片１６，１６が受入部２３Ａ，２３Ａ´位置に召合せ框７，７の、障子構成体１の召合せ框材２Ａと屋内外方向に重なり合う位置への移動に伴って移動して圧縮ばね１７の付勢によって係合し、障子半開放時（いずれか一方を開放したとき）には、一方の防虫構成体６の係止片１５，１６が受入部１９Ｂ，２３Ｂに圧縮ばね１７の付勢によって係合するか、他の一方の防虫構成体６´の係止片が受入部１９Ｂ´，２３Ｂ´に圧縮ばね１７の付勢によって係合するかのどちらかが行われる関係にしてあるのである。
【００１６】
【発明の効果】
本発明は前記の通りの構成であるから、両開きサッシの全開放状態時の防虫効果を期待できることは勿論、一方の障子構成体のみを開放して、他の一方側を閉塞した場合であっても該開放側を確実に防虫することのできる両開きサッシを提供できる。しかも、防虫構成体による防虫状態は、該構成体の召合せ框を上下枠の見付け方向に沿って移動させるだけで行えるから操作上の不都合はない。
【図面の簡単な説明】
【図１】一方の防虫構成体の召合せ框と窓枠の関係を示す断面図。
【図２】他の一方の防虫構成体の召合せ框と窓枠の関係を示す断面図。
【図３】障子全開放時の防虫状態を示す召合せ框部の横断面図。
【図４】係止片と受入部の関係を示す分解斜視図。
【図５】係止片と受入部の関係を示す説明図。
【図６】障子全開放して防虫状態としたときの略示説明図。
【図７】一方の障子側のみを開放して防虫状態としたときの略示説明図。
【符号の説明】
１        障子構成体
４ｂ      縦枠
６，６´  防虫構成体
７        召合せ框
８        網シート
９        定置框
【図１】
2005023527.tif 000003
【図２】
2005023527.tif 000004
【図３】
2005023527.tif 000005
【図４】
2005023527.tif 000006
【図５】
2005023527.tif 000007
【図６】
2005023527.tif 000008
【図７】
2005023527.tif 000009